(57)【要約】【課題】  粘性および付着性を向上させることにより、屋外構造物、屋外移動物に塗布または吹き付けても、所期の凍結防止効果を得ることができる液状凍結防止剤を提供する。【解決手段】  酢酸塩、蟻酸塩、尿素、塩化物、低分子アルコールから選ばれる１つの水溶液に、カルボキシルメチルセルロースを０．１重量％〜１０重量％添加する。【選択図】    なし【特許請求の範囲】
【請求項１】
酢酸塩、蟻酸塩、尿素、塩化物、低分子アルコールから選ばれる１つの水溶液からなる液状凍結防止剤において、
水溶性高分子を添加した、
ことを特徴とする液状凍結防止剤。
【請求項２】
請求項１に記載の液状凍結防止剤において、
水溶性のポリエチレングリコール、水溶性のポリビニルアルコールから選ばれる少なくとも１種を前記水溶性高分子として５重量％〜３０重量％含有させた、
ことを特徴とする液状凍結防止剤。
【請求項３】
請求項１に記載の液状凍結防止剤において、
水溶性の多糖類から選ばれる少なくとも１種を前記水溶性高分子として０．１重量％〜１０重量％含有させた、
ことを特徴とする液状凍結防止剤。
【請求項４】
請求項１に記載の液状凍結防止剤において、
水溶性のポリエチレングリコール、水溶性のポリビニルアルコールから選ばれる少なくとも１種と、多糖類から選ばれる少なくとも１種とを前記水溶性高分子として０．１重量％〜３０重量％含有させた、
ことを特徴とする液状凍結防止剤。
【発明の詳細な説明】
【技術分野】
【０００１】
この発明は、積雪寒冷地の冬季において、路面が凍結するのを防止したり、屋外構造物または屋外移動物に着氷するのを防止したり、屋外構造物または屋外移動物が凍結するのを防止する液状凍結防止剤に関するものである。
【背景技術】
【０００２】
従来の液状凍結防止剤は、水または低分子アルコールと同程度の低粘性を有する、酢酸塩、蟻酸塩、尿素、塩化物、低分子アルコールから選ばれる１つの水溶液で、一般的に、冬季の路面が凍結するのを防止するために使用されている。
また、屋外構造物、屋外移動物に着氷するのを防止したり、屋外構造物、屋外移動物が凍結するのを防止するため、液状凍結防止剤を屋外構造物、屋外移動物に塗布または吹き付けている。
【特許文献１】特許第３０５０８６１号明細書
【発明の開示】
【発明が解決しようとする課題】
【０００３】
しかしながら、液状凍結防止剤は、粘性および付着性が低いため、屋外構造物、屋外移動物に塗布または吹き付けても、流れ落ちてしまい、充分に凍結防止効果を発揮させることができなかった。
【０００４】
この発明は、上記したような不都合を解消するためになされたもので、粘性および付着性を向上させることにより、屋外構造物、屋外移動物に塗布または吹き付けても、所期の凍結防止効果を得ることのできる液状凍結防止剤を提供するものである。
【課題を解決するための手段】
【０００５】
この発明は、以下のような発明である。
（１）酢酸塩、蟻酸塩、尿素、塩化物、低分子アルコールから選ばれる１つの水溶液からなる液状凍結防止剤において、水溶性高分子を添加したことを特徴とする。
（２）（１）に記載の液状凍結防止剤において、水溶性のポリエチレングリコール、水溶性のポリビニルアルコールから選ばれる少なくとも１種を前記水溶性高分子として５重量％〜３０重量％含有させたことを特徴とする。
（３）（１）に記載の液状凍結防止剤において、水溶性の多糖類から選ばれる少なくとも１種を前記水溶性高分子として０．１重量％〜１０重量％含有させたことを特徴とする。
（４）（１）に記載の液状凍結防止剤において、水溶性のポリエチレングリコール、水溶性のポリビニルアルコールから選ばれる少なくとも１種と、多糖類から選ばれる少なくとも１種とを前記水溶性高分子として０．１重量％〜３０重量％含有させたことを特徴とする。
【発明の効果】
【０００６】
この発明によれば、酢酸塩、蟻酸塩、尿素、塩化物、低分子アルコールから選ばれる１つの水溶液に、水溶性高分子を添加したので、または、水溶性のポリエチレングリコール、水溶性のポリビニルアルコールから選ばれる少なくとも１種を水溶性高分子として５重量％〜３０重量％含有させたので、または、水溶性の多糖類から選ばれる少なくとも１種を水溶性高分子として０．１重量％〜１０重量％含有させたので、水溶性のポリエチレングリコール、水溶性のポリビニルアルコールから選ばれる少なくとも１種と、多糖類から選ばれる少なくとも１種とを水溶性高分子として０．１重量％〜３０重量％含有させたので、粘性および付着性を向上させることができる。
したがって、液状凍結防止剤を屋外構造物、屋外移動物に塗布または吹き付けても、流れ落ちてしまうことがなくなり、所期の凍結防止効果を得ることができる。
なお、電気伝導性を嫌う場所には、水道水と同程度の低電気伝導性を有する低分子アルコールを使用した液状凍結防止剤を使用するとよい。
【発明を実施するための最良の形態】
【０００７】
以下、この発明の液状凍結防止剤に使用する各材料について説明する。
【０００８】
この発明に使用する酢酸塩は、酢酸ナトリウム、酢酸マグネシウム、酢酸カリウム、酢酸カルシウムから選ばれる少なくとも１種である。
そして、酢酸塩は、液状凍結防止剤に５０重量％〜２０重量％で含有させる。
なお、酢酸塩を液状凍結防止剤に５０重量％を越えて含有させたり、２０重量％未満で含有させると、液状凍結防止剤としての所期の凍結防止効果を得ることができなくなる。
【０００９】
この発明に使用する蟻酸塩は、蟻酸ナトリウム、蟻酸カリウム、蟻酸マグネシウムから選ばれる少なくとも１種である。
そして、蟻酸塩は、液状凍結防止剤に２５重量％〜１５重量％で含有させる。
なお、蟻酸塩を液状凍結防止剤に２５重量％を越えて含有させたり、１５重量％未満で含有させると、液状凍結防止剤としての所期の凍結防止効果を得ることができなくなる。
【００１０】
この発明に使用する尿素は、液状凍結防止剤に４０重量％〜２０重量％で含有させる。
なお、尿素を液状凍結防止剤に４０重量％を越えて含有させたり、２０重量％未満で含有させると、液状凍結防止剤としての所期の凍結防止効果を得ることができなくなる。
【００１１】
この発明に使用する塩化物は、塩化ナトリウム、塩化カルシウム、塩化マグネシウムから選ばれる少なくとも１種である。
そして、塩化物は、液状凍結防止剤に３５重量％〜２０重量％で含有させる。
なお、塩化物を液状凍結防止剤に３５重量％を越えて含有させたり、２０重量％未満で含有させると、液状凍結防止剤としての所期の凍結防止効果を得ることができなくなる。
【００１２】
この発明に使用する低分子アルコールは、グリセリン、プロピレングリコール、エチレングリコール、メチルアルコール、エチルアルコールから選ばれる少なくとも１種である。
そして、低分子アルコールは、液状凍結防止剤に８０重量％〜２０重量％で含有させる。
なお、低分子アルコールを液状凍結防止剤に８０重量％を越えて含有させたり、２０重量％未満で含有させると、液状凍結防止剤としての所期の凍結防止効果を得ることができなくなる。
【００１３】
この発明に使用する水溶性高分子は、ポリエチレングリコール、ポリビニルアルコール、多糖類であるセルロース誘導体または澱粉の水溶性の高い分子量のものから選ばれる少なくとも１種である。
ただし、分子量の異なるものは、異なる種類とする。
【００１４】
まず、水溶性高分子を、ポリエチレングリコールまたはポリビニルアルコールの水溶性の高い分子量、例えば、平均分子量４００、平均分子量６００、平均分子量１０００のものから選んだ少なくとも１種とした場合、ポリエチレングリコールまたはポリビニルアルコールは、液状凍結防止剤に５重量％〜３０重量％で含有させる。
なお、ポリエチレングリコールまたはポリビニルアルコールを液状凍結防止剤に５重量％未満で含有させると、粘性が低すぎて付着性を得ることができなくなる。
また、ポリエチレングリコールまたはポリビニルアルコールを液状凍結防止剤に３０重量％を越えて含有させると、高粘度（ゲル状）になりすぎて塗布または吹き付けできなくなる。
【００１５】
次に、水溶性高分子を、多糖類であるセルロース誘導体または澱粉の水溶性の高い分子量、例えば、カルボキシメチルセルロース、ヒドロキシルメチルセルロース、グアガム、キサンタンガムのものから選んだ少なくとも１種とした場合、セルロース誘導体または澱粉は、液状凍結防止剤に０．１重量％〜１０重量％で含有させる。
なお、セルロース誘導体または澱粉を液状凍結防止剤に０．１重量％未満で含有させると、粘性が低すぎて付着性を得ることができなくなる。
また、セルロース誘導体または澱粉を液状凍結防止剤に１０重量％を越えて含有させると、高粘度（ゲル状）になりすぎて塗布または吹き付けできなくなる。
【００１６】
次に、水溶性高分子を、ポリエチレングリコール、ポリビニルアルコールから選んだ少なくとも１種と、セルロース誘導体、澱粉から選んだ少なくとも１種とを混合した場合、その混合物は、液状凍結防止剤に０．１重量％〜３０重量％で含有させる。
なお、その混合物を液状凍結防止剤に０．１重量％未満で含有させると、粘性が低すぎて付着性を得ることができなくなる。
また、その混合物を液状凍結防止剤に３０重量％を越えて含有させると、高粘度（ゲル状）になりすぎて塗布または吹き付けできなくなる。
【００１７】
次に、この発明の液状凍結防止剤の作製について説明する。
まず、酢酸塩、蟻酸塩、尿素、塩化物、低分子アルコールから１つを選び、所定濃度の水溶液を常法で作製し、次いで、この水溶液に水溶性高分子を添加、混合することにより、液状凍結防止剤を作製する。
あるいは、まず、水溶性高分子を所定濃度にした水溶液を常法で作製し、次いで、この水溶液に、酢酸塩、蟻酸塩、尿素、塩化物、低分子アルコールから選んだ１つを添加、混合することによっても液状凍結防止剤を作製することができる。
なお、添加、混合は、溶解性を高めるために加温しながら行うのが好ましい。
【００１８】
次に、実施例および比較例を示す。
【実施例】
【００１９】
〔実施例１〕
酢酸ナトリウム２５部を水７５部で溶解して酢酸ナトリウム水溶液を作製した後、この酢酸ナトリウム水溶液に、平均分子量１０００のポリエチレングリコール１０部（９．０９重量％）を添加、混合し、液状凍結防止剤を得た。
【００２０】
〔実施例２〕
蟻酸ナトリウム２５部を水７５部で溶解して蟻酸ナトリウム水溶液を作製した後、この蟻酸ナトリウム水溶液に、平均分子量１０００のポリエチレングリコール１０部（９．０９重量％）を添加、混合し、液状凍結防止剤を得た。
【００２１】
〔実施例３〕
尿素２５部を水７５部で溶解して尿素水溶液を作製した後、この尿素水溶液に、平均分子量１０００のポリエチレングリコール１０部（９．０９重量％）を添加、混合し、液状凍結防止剤を得た。
【００２２】
〔実施例４〕
塩化カルシウム２５部を水７５部で溶解して塩化カルシウム水溶液を作製した後、この塩化カルシウム水溶液に、平均分子量１０００のポリエチレングリコール１０部（９．０９重量％）を添加、混合し、液状凍結防止剤を得た。
【００２３】
〔実施例５〕
グリセリン６０部を水４０部で溶解してグリセリン水溶液を作製した後、このグリセリン水溶液に、平均分子量１０００のポリエチレングリコール１０部（９．０９重量％）を添加、混合し、液状凍結防止剤を得た。
【００２４】
〔実施例６〕
酢酸ナトリウム２５部を水７５部で溶解して酢酸ナトリウム水溶液を作製した後、この蟻酸ナトリウム水溶液に、セルロース誘導体としてのカルボキシルメチルセルロース０．５部（０．４９７重量％）を添加、混合し、液状凍結防止剤を得た。
【００２５】
〔実施例７〕
蟻酸ナトリウム２５部を水７５部で溶解して蟻酸ナトリウム水溶液を作製した後、この蟻酸ナトリウム水溶液に、セルロース誘導体としてのカルボキシルメチルセルロース０．５部（０．４９７重量％）を添加、混合し、液状凍結防止剤を得た。
【００２６】
〔実施例８〕
尿素２５部を水７５部で溶解して尿素水溶液を作製した後、この尿素水溶液に、セルロース誘導体としてのカルボキシルメチルセルロース０．５部（０．４９７重量％）を添加、混合し、液状凍結防止剤を得た。
【００２７】
〔実施例９〕
塩化カルシウム２５部を水７５部で溶解して塩化カルシウム水溶液を作製した後、この塩化カルシウム水溶液に、セルロース誘導体としてのカルボキシルメチルセルロース０．５部（０．４９７重量％）を添加、混合し、液状凍結防止剤を得た。
【００２８】
〔実施例１０〕
グリセリン６０部を水４０部で溶解してグリセリン水溶液を作製した後、このグリセリン水溶液に、セルロース誘導体としてのカルボキシルメチルセルロース０．５部（０．４９７重量％）を添加、混合し、液状凍結防止剤を得た。
【００２９】
〔実施例１１〕
酢酸ナトリウム２５部を水７５部で溶解して酢酸ナトリウム水溶液を作製した後、この酢酸ナトリウム水溶液に、澱粉としてのグアガム０．５部（０．４９７重量％）を添加、混合し、液状凍結防止剤を得た。
【００３０】
〔実施例１２〕
蟻酸ナトリウム２５部を水７５部で溶解して蟻酸ナトリウム水溶液を作製した後、この蟻酸ナトリウム水溶液に、澱粉としてのグアガム０．５部（０．４９７重量％）を添加、混合し、液状凍結防止剤を得た。
【００３１】
〔実施例１３〕
尿素２５部を水７５部で溶解して尿素水溶液を作製した後、この尿素水溶液に、澱粉としてのグアガム０．５部（０．４９７重量％）を添加、混合し、液状凍結防止剤を得た。
【００３２】
〔実施例１４〕
塩化カルシウム２５部を水７５部で溶解して塩化カルシウム水溶液を作製した後、この塩化カルシウム水溶液に、澱粉としてのグアガム０．５部（０．４９７重量％）を添加、混合し、液状凍結防止剤を得た。
【００３３】
〔実施例１５〕
グリセリン６０部を水４０部で溶解してグリセリン水溶液を作製した後、このグリセリン水溶液に、澱粉としてのグアガム０．５部（０．４９７重量％）を添加、混合し、液状凍結防止剤を得た。
【比較例】
【００３４】
〔比較例１〕
酢酸ナトリウム２５部を水７５部で溶解し、液状凍結防止剤を得た。
【００３５】
〔比較例２〕
蟻酸ナトリウム２５部を水７５部で溶解し、液状凍結防止剤を得た。
【００３６】
〔比較例３〕
尿素２５部を水７５部で溶解し、液状凍結防止剤を得た。
【００３７】
〔比較例４〕
塩化カル４ウム２５部を水７５部で溶解し、液状凍結防止剤を得た。
【００３８】
〔比較例５〕
グリセリン６０部を水４０部で溶解し、液状凍結防止剤を得た。
【００３９】
〔粘度試験〕
実施例１〜実施例１５および比較例１〜比較例５の液状凍結防止剤について、Ｂ型粘度形を使用して０℃における粘度を測定した。
その測定結果を表１に示す。
【００４０】
【表１】
2006199803.tif 000002
【００４１】
〔付着試験〕
実施例１〜実施例１５および比較例１〜比較例５の液状凍結防止剤について、０℃における鉄片（縦５０ｍｍ×横５０ｍｍ×厚さ１ｍｍ）への付着量を測定した。
その測定結果を表２に示す。
【００４２】
【表２】
2006199803.tif 000003
【００４３】
上記した実施例では、酢酸塩、蟻酸塩、尿素、塩化物、低分子アルコールから選ばれる１つの水溶液に、水溶性高分子を１種、すなわち、ポリエチレングリコールを５重量％〜３０重量％添加し、または、カルボキシルメチルセルロースを０．１重量％〜１０重量％添加し、または、グアガムを０．１重量％〜１０重量％添加した例を示したが、酢酸塩、蟻酸塩、尿素、塩化物、低分子アルコールから選ばれる１つの水溶液に、水溶性のポリエチレングリコール、水溶性のポリビニルアルコールから選ばれる少なくとも１種を５重量％〜３０重量％添加したり、または、水溶性の多糖類の少なくとも１種を０．１重量％〜１０重量％添加したり、または、水溶性のポリエチレングリコール、水溶性のポリビニルアルコールから選ばれる少なくとも１種と、水溶性の多糖類の少なくとも１種とを０．１重量％〜３０重量％添加しても、同様な効果を得ることができる。
そして、防錆剤を少なくとも１種添加することにより、液状凍結防止剤を使用したもの、または、液状凍結防止剤が付着したものが錆びるのを防止することができる。
【手続補正書】
【提出日】平成18年3月9日(2006.3.9)
【手続補正１】
【補正対象書類名】明細書
【補正対象項目名】００１５
【補正方法】変更
【補正の内容】
【００１５】
次に、水溶性高分子を、多糖類であるセルロース誘導体または澱粉の水溶性の高い分子量、例えば、カルボキシメチルセルロース、ヒドロキシルメチルセルロース、グアガム、キサンタンガムから選んだ少なくとも１種とした場合、セルロース誘導体または澱粉は、液状凍結防止剤に０．１重量％〜１０重量％で含有させる。
なお、セルロース誘導体または澱粉を液状凍結防止剤に０．１重量％未満で含有させると、粘性が低すぎて付着性を得ることができなくなる。
また、セルロース誘導体または澱粉を液状凍結防止剤に１０重量％を越えて含有させると、高粘度（ゲル状）になりすぎて塗布または吹き付けできなくなる。